(57)【要約】【課題】光書込装置の位置決めが確実で、プロセスカートリッジの交換が容易な画像形成装置を提供する。【解決手段】光書込装置が画像形成装置に設けられた位置決め部に対し、離間する移動モードを有することで、開閉部を閉める際に、先に、光書込装置が、画像形成装置に設けられた位置決め部に直接衝突することなく、開閉部が閉状態となり、その後、移動手段により、光書込装置が、画像形成装置に設けられた位置決め部に位置決めされる。この結果、光書込装置の位置決めが確実で、プロセスカートリッジの交換が容易な画像形成装置を提供を実現できる。【選択図】図１
2008216768.tif 000002
【特許請求の範囲】
【請求項１】
光ビームを感光体面上に導き、該感光体面上に潜像画像を形成する光書込装置を有する画像形成装置であって、
画像形成装置本体は開閉部と前記光書込装置の位置決め部とを有し、
前記光書込装置は、前記開閉部とほぼ一体的に移動するように構成されており、
前記開閉部は、前記開閉部内において前記光書込装置の姿勢を変化させる移動手段を有し、
前記移動手段は、前記開閉部が閉状態において前記光書込装置が前記位置決め部に対し、離間する移動モードを有することを特徴とする画像形成装置。
【請求項２】
請求項１記載の画像形成装置において、前記光書込装置は、前記画像形成装置本体に押圧し位置決めされており、前記開閉部が開閉する際、前記開閉部内において移動モード時に前記画像形成装置本体に押圧する方向とは反対方向に前記光書込装置を離間させる移動手段を有することを特徴とする画像形成装置。
【請求項３】
請求項１または２記載の画像形成装置において、
複数の光ビームを偏向器により偏向走査し、結像手段により各光ビームに対応した各感光体面上に光ビームが導かれる光走査装置の光学素子が、箱状の筐体により保持されていることを特徴とする画像形成装置。
【請求項４】
請求項３記載の画像形成装置において、
前記光書込装置は、前記開閉部に設けられた落下防止部材により簡易的に保持され、前記開閉部とほぼ一体的に移動するように構成されていることを特徴とする画像形成装置。
【請求項５】
請求項１から４のいずれか１項記載の画像形成装置において、
前記開閉部は、支点を持ち、回動し開閉動作を行う機構であり、前記開閉部が開閉する際、移動モード時に前記開閉部内において、前記光書込装置を回転移動させる移動手段を有することを特徴とする画像形成装置。
【請求項６】
請求項５記載の画像形成装置において、
画像形成装置本体は、前記開閉部の回動の中心となる、長手方向に一貫した軸を有する本体構造部を有し、かつ、前記軸は、前記光書込装置の位置決め部であることを特徴とする画像形成装置。
【請求項７】
請求項１から６のいずれか１項記載の画像形成装置において、
前記開閉部は、閉状態の際、画像形成装置本体の位置決め姿勢を維持するロック機構を有しており、該ロック機構は、ロックの開閉に連動して、前記光書込装置の姿勢を変化させる移動手段を有することを特徴とする画像形成装置。
【請求項８】
請求項７記載の画像形成装置において、
前記ロック機構は、少なくともオン／オフの２モードを有し、それぞれの状態で、その状態を維持できるようにしたことを特徴とする画像形成装置。
【請求項９】
請求項７または８記載の画像形成装置において、
前記ロック機構と前記光書込装置との接触部に弾性部材を設けたことを特徴とする画像形成装置。
【請求項１０】
請求項７から９のいずれか１項記載の画像形成装置において、
前記ロック機構と前記光書込装置との接触部は、前記光書込装置と前記位置決め部の近傍であることを特徴とする画像形成装置。
【請求項１１】
請求項１から１０のいずれか１項記載の画像形成装置において、
前記開閉部の開閉動作にダンパー機構を設けたことを特徴とする画像形成装置。
【請求項１２】
請求項１から１１のいずれか１項記載の画像形成装置において、
前記画像形成装置本体と前記開閉部との接触部に弾性部材を設けたことを特徴とする画像形成装置。
【請求項１３】
請求項１から１２のいずれか１項記載の画像形成装置において、
前記開閉部は、外装カバーを有することを特徴とする画像形成装置。
【請求項１４】
請求項１３記載の画像形成装置において、
前記開閉部は、排紙カバーを有することを特徴とする画像形成装置。
【発明の詳細な説明】
【技術分野】
【０００１】
本発明は、複写機、プリンタ、ファクシミリ等の画像形成装置に関する。
【背景技術】
【０００２】
複写機、プリンタ、ファクシミリ等の画像形成装置としては、画像形成装置内におけるプロセスカートリッジ等の配置により、画像形成装置を小型化するもの（例えば、特許文献１参照。）、画像形成装置に開閉部と本体部とに分割し、開閉により、プロセスカートリッジを交換できるようにするもの（例えば、特許文献２参照。）、画像形成装置内におけるプロセスカートリッジの脱着のための移動空間の有効利用ができるようにするもの（例えば、特許文献３参照。）、画像形成装置内において光書込装置を移動することで、プロセスカートリッジを軸方向に向かって交換可能となるもの（例えば、特許文献４参照。）、画像形成装置の本体部を分割し、操作性良くプロセスカートリッジの交換を可能としたもの（例えば、特許文献５参照。）、形成装置内に水平に配置された複数のプロセスカートリッジに対して、プロセスカートリッジの交換を可能としたもの（例えば、特許文献６参照。）、画像形成装置内における回動する開口部の機構を設け、小型化された回動部を形成することができるようにしたもの（例えば、特許文献７参照。）が挙げられる。
【特許文献１】特許第３５３４１０４号公報
【特許文献２】特開平１−１７２８４６号公報
【特許文献３】特開２００３−１１４１２号公報
【特許文献４】特許第３６１８６１０号公報
【特許文献５】特開２００５−２６５９７９号公報
【特許文献６】特開２００５−１８６３３２号公報
【特許文献７】特許第３７６８６８６号公報
【発明の開示】
【発明が解決しようとする課題】
【０００３】
電子写真方式の画像形成装置には、特許文献１に記載されているように、感光体などの像担持体上に、光書込装置からの光ビームを照射することで、潜像画像を形成し、この潜像画像を現像剤にてトナー像化した後、記録媒体上に転写し、熱と圧力とを加えて記録媒体に定着させることが一般的である。
【０００４】
このとき、二成分現像方式であれば、トナーやキャリアの消費のため、定期的な補給が必要となり、例えば、感光体、帯電手段、現像手段、クリーニング手段を有するプロセスカートリッジを一体的に構成し、画像形成装置から交換可能な形体でユニット化されている。
【０００５】
しかし、例えばブラック、マゼンタ、シアン、イエロー用に複数のプロセスカートリッジを有するカラー画像形成装置においては、これらプロセスカートリッジの配置と脱着方法、それに伴う開口部や光書込装置の配置は課題となる。
【０００６】
特許文献３、６に記載の技術は、一つのカートリッジに対しては実現できるが、複数個のプロセスカートリッジの交換には対応していない。
【０００７】
また、特許文献５に記載の技術は、開閉前後における光書込装置とプロセスカートリッジとの位置関係は維持できるが、開閉する方向に大きなスペースが必要となり、結局画像形成装置の設置に必要な面積は大きくなってしまう。
【０００８】
特許文献２に記載の技術においても、大型の開口部となり同様である。感光体の軸方向に向かって脱着する特許文献４に記載のような方式も、脱着方向は空間として残す必要があり、画像形成装置内においてはスペースを有効に利用しているが、画像形成装置の設置に必要な面積は同様に大きく必要である。
【０００９】
特許文献７は、光書込装置を搭載した場合に回動中心が変動するため、位置決め部に課題がある。
一方で、画像形成装置の上方、あるいは前方は、多くの場合、空間となっていることを利用し、上方、あるいは前方に向けプロセスカートリッジを脱着する方法は、画像形成装置の設置面積を考慮すると、有利な方法となり得る。
【００１０】
ここで、感光体を略水平方向に並べた作像系を有する画像形成装置においては、前方に開口部を設けては、プロセスカートリッジの取り出しは不便であることは言うまでもない。
よって、この作像系においては、上方に取り出すことが有利である。
【００１１】
しかしながら、感光体面上に光ビームで潜像画像を形成する光書込装置を、感光体上方に配置した画像形成装置では、画像形成装置の上方に配置された開閉部を開いても、光走査装置を外さないと、プロセスカートリッジを脱着することはできない。
これらのプロセスカートリッジの交換作業はサービスマン等の作業に慣れた者だけでなく、ユーザにおいても作業できるような画像形成装置は多く、作業手順はシンプルで容易である必要がある。これにより、画像形成装置の上方に開閉部を設け、開閉部に光書込装置を有しており、開閉部の開閉動作に光書込装置が一体的に稼動する方式が採用され、作業者は開閉部を開くと、プロセスカートリッジが露出し、脱着可能となる。
【００１２】
ただし、この方式の場合、光書込装置は画像形成装置本体に押圧され位置決めされる場合が多いため、開閉部を閉める際、光書込装置は、画像形成装置本体の位置決め部に衝突し、衝撃が加わることが考えられる。
本来、光書込装置は非常に高精度に調整された装置であって、一定上の外乱が加わることは望ましくないが、開閉部を閉める際に、過度な力が加わることも有りえ、光走査装置への調整ずれや、接着部品のはがれ等の悪影響が懸念されている。
【００１３】
これらの課題に対し、本発明は、光書込装置は、移動手段を有することで、画像形成装置から変位することができ、開閉の際の光書込装置に加わる衝撃等の外力を低減し、光書込装置の性能を良好に維持することができ、かつ再び移動手段を用いることで光書込装置と画像形成装置本体とが確実に位置決めできるようにすると共に、プロセスカートリッジを交換可能な構成を実現する画像形成装置にある。
【００１４】
すなわち、本発明の目的は、光書込装置の位置決めが確実で、プロセスカートリッジの交換が容易な画像形成装置を提供することにある。
【課題を解決するための手段】
【００１５】
上記課題を解決するため、請求項１記載の発明は、光ビームを感光体面上に導き、該感光体面上に潜像画像を形成する光書込装置を有する画像形成装置であって、画像形成装置本体は開閉部と前記光書込装置の位置決め部とを有し、前記光書込装置は、前記開閉部とほぼ一体的に移動するように構成されており、前記開閉部は、前記開閉部内において前記光書込装置の姿勢を変化させる移動手段を有し、前記移動手段は、前記開閉部が閉状態において前記光書込装置が前記位置決め部に対し、離間する移動モードを有することを特徴とする。
【００１６】
請求項２記載の発明は、請求項１記載の画像形成装置において、前記光書込装置は、前記画像形成装置本体に押圧し位置決めされており、前記開閉部が開閉する際、前記開閉部内において、移動モード時に前記画像形成装置本体に押圧する方向とは反対方向に前記光書込装置を離間させる移動手段を有することを特徴とする。
【００１７】
請求項３記載の発明は、請求項１または２記載の画像形成装置において、複数の光ビームを偏向器により偏向走査し、結像手段により各光ビームに対応した各感光体面上に光ビームが導かれる光走査装置の光学素子が、箱状の筐体により保持されていることを特徴とする。
【００１８】
請求項４記載の発明は、請求項３記載の画像形成装置において、前記光書込装置は、前記開閉部に設けられた落下防止部材により簡易的に保持され、前記開閉部とほぼ一体的に移動するように構成されていることを特徴とする。
【００１９】
請求項５記載の発明は、請求項１から４のいずれか１項記載の画像形成装置において、前記開閉部は、支点を持ち、回動し開閉動作を行う機構であり、前記開閉部が開閉する際、移動モード時に前記開閉部内において、前記光書込装置を回転移動させる移動手段を有することを特徴とする。
【００２０】
請求項６記載の発明は、請求項５記載の画像形成装置において、画像形成装置本体は、前記開閉部の回動の中心となる、長手方向に一貫した軸を有する本体構造部を有し、かつ、前記軸は、前記光書込装置の位置決め部であることを特徴とする。
【００２１】
請求項７記載の発明は、請求項１から６のいずれか１項記載の画像形成装置において、前記開閉部は、閉状態の際、画像形成装置本体の位置決め姿勢を維持するロック機構を有しており、該ロック機構は、ロックの開閉に連動して、前記光書込装置の姿勢を変化させる移動手段を有することを特徴とする。
【００２２】
請求項８記載の発明は、請求項７記載の画像形成装置において、前記ロック機構は、少なくともオン／オフの２モードを有し、それぞれの状態で、その状態を維持できるようにしたことを特徴とする。
【００２３】
請求項９記載の発明は、請求項７または８記載の画像形成装置において、前記ロック機構と前記光書込装置との接触部に弾性部材を設けたことを特徴とする。
【００２４】
請求項１０記載の発明は、請求項７から９のいずれか１項記載の画像形成装置において、前記ロック機構と前記光書込装置との接触部は、前記光書込装置と前記位置決め部の近傍であることを特徴とする。
【００２５】
請求項１１記載の発明は、請求項１から１０のいずれか１項記載の画像形成装置において、前記開閉部の開閉動作にダンパー機構を設けたことを特徴とする。
【００２６】
請求項１２記載の発明は、請求項１から１１のいずれか１項記載の画像形成装置において、前記画像形成装置本体と前記開閉部との接触部に弾性部材を設けたことを特徴とする。
【００２７】
請求項１３記載の発明は、請求項１から１２のいずれか１項記載の画像形成装置において、前記開閉部は、外装カバーを有することを特徴とする。
【００２８】
請求項１４記載の発明は、請求項１３記載の画像形成装置において、前記開閉部は、排紙カバーを有することを特徴とする。
【発明の効果】
【００２９】
本発明によれば、光書込装置が画像形成装置に設けられた位置決め部に対し、離間する移動モードを有することで、開閉部を閉める際に、先に、光書込装置が、画像形成装置に設けられた位置決め部に直接衝突することなく、開閉部が閉状態となり、その後、移動手段により、光書込装置が、画像形成装置に設けられた位置決め部に位置決めされる。この結果、光書込装置の位置決めが確実で、プロセスカートリッジの交換が容易な画像形成装置を提供を実現できる。
【発明を実施するための最良の形態】
【００３０】
本発明の一実施の形態を図面に基づいて説明する。
本実施の形態は、画像形成装置として電子写真方式のカラープリンタへの適用例である。
ここで、図１は、本実施の形態のカラープリンタを概略的に示す縦断側面図である。
図１に示すように、カラープリンタ１の本体ケース２内部の略中央部には、４つの作像部３（３Ｙ、３Ｃ、３Ｍ、３Ｋ）と、光ビームを出射する光書込装置４と、転写ベルトである中間転写ベルト５とが配置されている。
【００３１】
各作像部３はそれぞれ異なる色の画像（トナー像）を形成する部分であり、これらの作像部３及びその作像部３の構成部品等に関する本明細書及び図面の記載において、Ｙ、Ｃ、Ｍ、Ｋの添え字は、各々イエロー、シアン、マゼンタ、ブラックの色を示している。
【００３２】
本体ケース２は、金属製あるいは樹脂製の本体フレームと、この本体フレーム２−１に取り付けられた樹脂製の外装カバー２−２とから構成されており、作像部３、光書込装置４、中間転写ベルト５は、そのフレームに取り付け、位置決めされている。
【００３３】
光書込装置４（図２参照。）は、原稿読取装置（スキャナー）あるいは画像データ出力装置（パーソナルコンピュータ、ワードプロセッサ、ファクシミリの受信部等）から入力される色分解された画像データを光源駆動用の信号に変換し、それに従い各レーザ光源ユニット内の半導体レーザを駆動して光ビームを出射する。
図２は、図１に示したカラープリンタの光書込装置の断面図である。
【００３４】
（図示しない）各レーザ光源ユニットから出射された光ビームは、光学素子を介して光偏向器５０に至り、多面鏡モータで等速回転されている回転多面鏡４９で対称な２方向に偏向走査される。２ビームずつ２方向に偏向走査された光ビームは、結像光学系４３をそれぞれ通過し、折返しミラー４５により折り返されて、防塵部材４６を介して各色用の感光体６の被走査面上にスポット照射され静電潜像を書き込む。
このとき、４つの光ビームの感光体６に対する照射角度は、ほぼ同一である。
なお、偏向器５０は複数でもよい。
【００３５】
４つの作像部３Ｙ、３Ｃ、３Ｍ、３Ｋは、使用するトナーの色が異なるために形成される画像の色が異なるものであり、基本的な構造は同じである。各作像部３は、矢印方向へ回転駆動される像担持体である感光体６（６Ｙ、６Ｃ、６Ｍ、６Ｋ）、感光体６の周囲に配置された帯電部７、現像部８、クリーニング部９等により構成されている。
感光体６は、円筒状に形成され、駆動源（図示せず）により回転駆動される。感光体６の外周面部には感光層が設けられており、感光体６の表面である外周面は被走査面とされている。
【００３６】
光書込装置４から出射された光ビームが感光体６の外周面にスポット照射されることにより、感光体６の外周面には画像情報に応じた静電潜像が書き込まれる。帯電部７は、感光体６の外周面を一様に帯電するもので、感光体６に対して接触方式のものが採用されている。現像部８は、感光体６へのトナーの供給を行い、供給されたトナーが感光体６の外周面６ａに書き込まれた静電潜像に付着することにより感光体６上の静電潜像がトナー像として顕像化させるもので、感光体６に対して非接触方式のものが採用されている。
【００３７】
クリーニング部９は、感光体６の外周面に付着している残留トナーをクリーニングするもので、感光体６の外周面にブラシを接触させるブラシ接触方式のものが採用されている。
【００３８】
これら作像部を形成する感光体６、帯電部７、現像部８、クリーニング部９は、プロセスカートリッジ３０としてユニット化されており、本体フレーム２−１に交換可能なように配置、位置決めされている。
【００３９】
中間転写ベルト５は、樹脂フィルム又はゴムを基体として形成されたループ状のベルトで、感光体６上に形成されたトナー像が転写される。この中間転写ベルト５は、ローラ１１、１２により支持されて矢印方向へ回転駆動される。
これらのローラ１１，１２が本体ケース２の本体フレーム２−１に取り付けられており、これにより、中間転写ベルト５は、ローラ１１，１２を介して本体フレーム２−１に取り付けられている。
【００４０】
したがって、ローラ１１，１２は、本体フレーム２−１とともに、転写ベルトである中間転写ベルト５を保持するベルト保持部材とされる。中間転写ベルト５の内周面側（ループの内側）には、各感光体６上のトナー像を中間転写ベルト５上に転写させるために中間転写ベルト５を感光体６に押圧する４個の転写ローラ１４が配置されている。中間転写ベルト５の外周面６ａ側（ループの外側）には、中間転写ベルト５の外周面６ａに付着した残留トナーや紙粉等をクリーニングするクリーニング部１５が配置されている。
【００４１】
本体ケース２内における４個の作像部３の下方には、記録媒体（用紙）が積層保持される給紙カセット１６が配置されている。給紙カセット１６内に積層保持されている記録媒体は、最上位のものから順に分離給紙される。
本体ケース２内には、給紙カセット１６内から分離給紙された記録媒体が搬送される搬送経路１７が形成されている。この搬送経路１７上には、給紙ローラ１８ａ、レジストローラ１８ｂ、転写ローラ１９、定着部２０、排紙ローラ２１等が配置されている。レジストローラ１８ｂは、所定のタイミングで間欠的に回転駆動されるローラである。このレジストローラ１８ｂが間欠的に回転駆動されることにより、レジストローラ１８ｂの位置まで搬送されて停止していた記録媒体が、中間転写ベルト５と転写ローラ１９とにより挟まれる転写位置へ送り込まれ、この転写位置において中間転写ベルト５上のトナー像が記録媒体に転写される。
【００４２】
ここに、中間転写ベルト５と転写ローラ１９とにより転写部が構成されている。
定着部２０は、記録媒体上に転写されたトナー像を熱と圧力とを加えて記録媒体に定着させる部分である。定着部２０内を通過する過程においてトナー像が定着された記録媒体は、排紙ローラ２１により本体ケース２の上面部に形成されている排紙トレイ２２上に排紙される。
【００４３】
次に、図３に示すようにプロセスカートリッジの取り出し方法を説明する。
図３は、図１に示したカラープリンタのプロセスカートリッジの取り出し方法の説明図である。
画像形成装置上方に位置する開閉部５０は、本体フレーム２−１に取り付けられた長手方向に一貫する軸７１を支点にして、回動して開くことができ、画像形成装置上方は開口する。このとき、開閉部５０は光書込装置４を一体的に構成することにより、本体フレーム２−１に位置決めされているプロセスカートリッジ３０が露出し、上方に向けて取り出しが可能となる。
【００４４】
このように、プロセスカートリッジが複数配置されるカラー画像形成装置においては、開口部は大きくする必要がある。
ここでは、排紙トレイを開閉部の一部としたが、排紙トレイは往々にして大型の樹脂製部品となるため、開口部に適している。本体フレーム２−１と開閉部５０のロック機構８０は図４（ａ）に示すように、レバー部８１は、開閉部５０に設けられた軸部８２を支点に回動する機構である。
【００４５】
これにより、爪部８１ａと本体フレーム２−１の凹部２−１ａに引っかかり、開閉部５０は、画像形成装置を閉じることになる。このとき図４（ｂ）に示すように、本体フレーム２−１に設けられた位置決め部２−１ｂ、軸部７１に、光書込装置４の位置決め部４ｂ、４ｄ部は矢印方向にスプリング等で押圧されることにより、光書込装置４は本体フレーム２−１に正確に位置決めされる。
図４（ａ）は、図１に示したカラープリンタの本体フレーム２−１及び開閉部５０のロック機構８０の概念図であり、図４（ｂ）は、図４（ａ）の説明図である。
【００４６】
一方、開閉部５０を開く際は、図５（ａ）に示すように、まず、作業者により、レバー部８１に設けられた取っ手部８１ｃを引く。このとき、レバー部８１は軸部８２を支点に回動し、爪部８１ａと本体フレーム２−１の凹部２−１ａに引っかかりが解除される。
同時に、レバー部８１に設けられたアーム８１ｂが回転し、光走査装置４の位置決め部４ｂに接触し押圧するため、図５（ｂ）に示すように、光走査装置４は軸部７１を支点に回転し、本体フレームとの位置決めが解除されることになる。
【００４７】
図５（ｃ）に示すように、レバー部はこの解除された位置にて仮固定されるように構成すると、開閉部が開状態の際は常に維持される。これとは逆に、開閉部５０を閉める際は、図５（ｃ）の状態にあり、開閉部を閉めた直後は、図５（ａ）、図５（ｂ）の状態にあり、レバー８１を戻すことにより、図４（ａ）、図４（ｂ）の状態になり、光書込装置４は確実に本体フレーム２−１に位置決めされる。
図５（ａ）は、図１に示したカラープリンタの排紙カバー近傍の断面図であり、図５（ｂ）はその説明図であり、図５（ｃ）は、図１に示したカラープリンタの排紙カバーを開けた状態を示す断面図である。
【００４８】
ちなみに、図３の開閉部５０の位置決め部５０ｅと、本体フレーム２−１の位置決め部２−１ｅであるが、位置決め部２−１ｅに衝撃吸収目的として弾性材を使用しても良い。
【００４９】
図６は、図１に示したカラープリンタの排紙カバー２２に取り付けられた落下保持部材２２ａであり、穴部２２ｂが形成されており、光書込装置４が開閉部５０から万が一脱落した際にも、穴部２２ｂの範囲内に収まるものである。
【００５０】
図７は、ロック機構８０のアーム部８１ｂに構成された弾性部材８１ｆを挟んで光書込装置４を移動させるものの説明図である。
なお、本実施の形態では、転写ベルトとして中間転写ベルト５を使用する画像形成装置の例を説明したが、これに限るものではなく、画像形成装置としては、転写ベルトとして直接転写ベルトを使用するものであっても良く、また、開閉部にはスキャナユニットが構成されていても良い。
【００５１】
〔作用効果〕
請求項１記載の画像形成装置によれば、光ビームを感光体面上に導き、感光体面上に潜像画像を形成する光書込装置を有する画像形成装置であって、画像形成装置には、画像形成装置を開閉する開閉部が備えられ、かつ、光書込装置の位置決め部を有し、光書込装置は、開閉部と概ね一体的に移動するように構成されており、開閉部は、開閉部内において光書込装置の姿勢を変化させる移動手段を有し、前記移動手段は、開閉部が閉状態において、光書込装置が画像形成装置に設けられた位置決め部に対し、離間（変位）する移動モードを有することで、開閉部を閉める際に、先に、光書込装置が、画像形成装置に設けられた位置決め部に直接衝突することなく、開閉部が閉状態となり、その後、移動手段により、光書込装置が、画像形成装置に設けられた位置決め部に位置決めされる。
【００５２】
請求項２記載の画像形成装置によれば、請求項１記載の画像形成装置において、光書込装置は、画像形成装置に押圧し位置決めされており、開閉部が開閉する際、開閉部内において、画像形成装置に押圧する方向とは反対方向に、光書込装置を離間させる移動モードを有した移動手段を有することで、光書込装置が、画像形成装置に設けられた位置決め部の位置から確実に離間することができる。
【００５３】
請求項３記載の画像形成装置によれば、請求項１または２記載の画像形成装置において、複数の光ビームを偏向器により偏向走査し、結像手段により各光ビームに対応した各感光体面上に光ビームが導かれる光走査装置であって、これらの光学素子が、箱状の筐体により保持されていることで、箱状の光走査装置に対し、請求項１、２記載の画像形成装置と同様の効果が得られる。
【００５４】
請求項４記載の画像形成装置によれば、請求項３記載の画像形成装置において、光書込装置は、開閉部に設けられた光書込装置の落下防止部材により簡易的に保持され、開閉部と概ね一体的に移動するように構成されていることで、開閉時に光走査装置が落下することを防止することができる。
【００５５】
請求項５記載の画像形成装置によれば、請求項１から４のいずれか１項記載の画像形成装置において、開閉部は、支点を持ち、回動し開閉動作を行う機構であり、開閉部が開閉する際、開閉部内において、光書込装置を回転移動させる移動モードを有した移動手段を有することで、光書込装置が、画像形成装置に設けられた位置決め部の位置から回動して、確実に離間することができる。
【００５６】
請求項６記載の画像形成装置によれば、請求項５記載の画像形成装置において、画像形成装置は、開閉部の回動の中心となる、長手方向に一貫した軸を有した本体構造部を有しており、かつ、前記軸は、光書込装置の位置決め部であることで、本体構造部の強度が増し、位置決め部自体の変動が低減される。
【００５７】
請求項７記載の画像形成装置によれば、請求項１から６のいずれか１項記載の画像形成装置において、開閉部は、閉状態の際、画像形成装置の位置決め姿勢を維持するロック機構を有しており、ロック機構は、ロックの開閉に連動して、光書込装置の姿勢を変化させる移動手段を有することで、一回の動作で、光書込装置が、画像形成装置に設けられた位置決め部の位置から、確実に離間することができる。
【００５８】
請求項８記載の画像形成装置によれば、請求項７記載の画像形成装置において、前記ロック機構は、少なくともオン／オフの２モードあり、それぞれの状態で、その状態を維持（保持）できることで、光書込装置が、画像形成装置に設けられた位置決め部の位置から、確実に離間する位置を維持できる。
【００５９】
請求項９記載の画像形成装置によれば、請求項７または８記載の画像形成装置において、ロック機構あるいは光書込装置部に、ロック機構と光書込装置の接触部に弾性部材を設けることで、より開閉の際の衝撃を光書込装置に伝わりにくくすることができる。
【００６０】
請求項１０記載の画像形成装置によれば、請求項７から９のいずれか１項記載の画像形成装置において、ロック機構と光書込装置との接触部は、光書込装置及び画像形成装置の位置決め部の近傍であることで、光書込装置が、画像形成装置に設けられた位置決め部の位置から、確実に離間する位置する際の、光書込装置の変形を抑制できる。
【００６１】
請求項１１記載の画像形成装置によれば、請求項１から１０のいずれか１項記載の画像形成装置において、開閉部の開閉動作にダンパー機構を設けることで、より開閉の際の衝撃自体を低減することができる。
【００６２】
請求項１２記載の画像形成装置によれば、請求項１から１１のいずれか１項記載の画像形成装置において、画像形成装置と開閉部との接触部に弾性部材を設けることより開閉の際の衝撃自体を低減することができる。
【００６３】
請求項１３の画像形成装置によれば、請求項１から１２のいずれか１項記載の画像形成装置において、開閉部は、外装カバーを有していることで、外装カバーを外すことなく、開閉部の開閉が可能となる。
【００６４】
請求項１４記載の画像形成装置によれば、請求項１３記載の画像形成装置において開閉部は、排紙カバーを有していることで、排紙カバーを外すことなく、開閉部の開閉が可能となる。
【００６５】
なお、上述した実施の形態は、本発明の好適な実施の形態の一例を示すものであり、本発明はそれに限定されることなく、その要旨を逸脱しない範囲内において、種々変形実施が可能である。
【図面の簡単な説明】
【００６６】
【図１】本実施の形態のカラープリンタを概略的に示す縦断側面図である。
【図２】図１に示したカラープリンタの光書込装置の断面図である。
【図３】図１に示したカラープリンタのプロセスカートリッジの取り出し方法の説明図である。
【図４】（ａ）は、図１に示したカラープリンタの本体フレーム２−１及び開閉部５０のロック機構８０の概念図であり、（ｂ）は、（ａ）の説明図である。
【図５】（ａ）は、図１に示したカラープリンタの排紙カバー近傍の断面図であり、（ｂ）はその説明図であり、（ｃ）は、図１に示したカラープリンタの排紙カバーを開けた状態を示す断面図である。
【図６】図１に示したカラープリンタの排紙カバー２２に取り付けられた落下保持部材２２ａの説明図である。
【図７】ロック機構８０のアーム部８１ｂに構成された弾性部材８１ｆを挟んで光書込装置４を移動させるものの説明図である。
【符号の説明】
【００６７】
１    カラープリンタ
２    本体ケース
３（３Ｙ、３Ｃ、３Ｍ、３Ｋ）    作像部
４    光書込装置
５    中間転写ベルト
６（６Ｙ、６Ｃ、６Ｍ、６Ｋ）    感光体
７    帯電部
８    現像部
９、１５    クリーニング部
１１、１２    ローラ
１４、１９    転写ローラ
１６    給紙カセット
１７    搬送経路
１８ａ    給紙ローラ
１８ｂ    レジストローラ
２０    定着部
２１    排紙ローラ
２２    排紙トレイ
３０    プロセスカートリッジ
【図１】
2008216768.tif 000003
【図２】
2008216768.tif 000004
【図３】
2008216768.tif 000005
【図４】
2008216768.tif 000006
【図５】
2008216768.tif 000007
【図６】
2008216768.tif 000008
【図７】
2008216768.tif 000009